(57)【特許請求の範囲】
【請求項１】
人体を支える支持板を、ベッド本体部の上に、駆動機構を介して水平方向に往復動可能に支持し、
上記ベッド本体部と支持板との間には、方向転換時の衝撃を緩和する緩衝手段を設け、
前記緩衝手段を、ベッド本体部の上面における往復動方向の一端部から支持板の下面における往復動方向の他端部へ、またベッド本体部の上面における往復動方向の他端部から支持板の下面における往復動方向の一端部へ斜めに互いに引張状態にして張った一組の引張弾性材で構成するとともに、
前記駆動機構の駆動により前記ベッド支持板を往復動させる連結杆と、
支持板の下面に固定され、前記連結杆の端部を保持する作用部とを設け、
前記連結杆の支持板側に雄ねじを形成して、
該雄ねじを、前記作用部に挿通保持し、
上記雄ねじにおける上記作用部を挟む両側位置に、雄ねじ上を長さ方向に移動するナットを螺合して構成した
ベッド。
【請求項２】
前記駆動機構を、前記ベッド本体部内に収めたモータと、該モータの回転力を往復動に変換する動力変換部と、前記作用部とを用いて構成し、
該作用部は、前記動力変換部の変換出力を支持板の下面に伝える
請求項１に記載のベッド。
【請求項３】
前記モータには、プーリとプーリベルトからなる減速機を接続した
請求項２に記載のベッド。
【請求項４】
前記支持板の大きさを、人体の大部分を支持可能な大きさに設定した
請求項１から請求項３のうちいずれか一項に記載のベッド。
【発明の詳細な説明】
【０００１】
【発明の属する技術分野】
この発明は、例えば安眠や健康増進等、多目的に使用できるベッドに関し、より詳しくは、振動するベッドに関する。
【０００２】
【従来の技術】
振動するベッドとしては、例えば実開昭６０−６５２５号がある。このベッドは、就寝促進のためのもので、ベッドの長手方向に沿って多数の加振装置を配設して、これらを特定の周波数と振幅を有する振動で個々に上下動させ、電車に揺られている時のような状態を作り出そうとしたものである。
【０００３】
しかしこのベッドでは、安眠が期待できるものの、所望の振動をさせるために複雑な多くの装置が必要であるうえ、多数の加振装置が必要で、構造が複雑で高価になる。
【０００４】
また、健康に資するようにマッサージ装置を有したベッドが特開平８−１１２３２３号に開示されている。これは、エアで膨張する部材を用いて人体をマッサージするもので、その部材で覆われた部分にしかマッサージが行えない。全身にマッサージを行うには、全身をすっぽりと覆う部材が必要である上に、マッサージ以外、例えば安眠には不向きである。
【０００５】
【発明が解決しようとする課題】
そこでこの発明は、構成が簡素で安価に製造でき、多くの用途を開くこともでき、高低速振動が共にできるベッド等の提供を主たる課題とする。
【０００６】
【課題を解決するための手段】
そのための手段は、人体を支える支持板を、ベッド本体部の上に、駆動機構を介して水平方向に往復動可能に支持し、上記ベッド本体部と支持板との間には、方向転換時の衝撃を緩和する緩衝手段を設け、前記緩衝手段を、ベッド本体部の上面における往復動方向の一端部から支持板の下面における往復動方向の他端部へ、またベッド本体部の上面における往復動方向の他端部から支持板の下面における往復動方向の一端部へ斜めに互いに引張状態にして張った一組の引張弾性材で構成するとともに、前記駆動機構の駆動により前記ベッド支持板を往復動させる連結杆と、支持板の下面に固定され、前記連結杆の端部を保持する作用部とを設け、前記連結杆の支持板側に雄ねじを形成して、該雄ねじを、前記作用部に挿通保持し、上記雄ねじにおける上記作用部を挟む両側位置に、雄ねじ上を長さ方向に移動するナットを螺合して構成したベッドであることを特徴とする。
【０００７】
すなわち、このベッドでは、ベッド本体部の上に支持した支持板が、駆動機構により水平方向に往復動する。往復動は、ベッドの長手方向でも短手方向でもよく、双方向の往復動を適宜に行うもよい。支持板に支えられた人体は、高速あるいは低速でも適宜に設定された速さで揺れる。この揺れは、ベッド本体部と支持板との間に設けた緩衝手段により方向転換時の衝撃を和らげて行われる。
【０００８】
このため、人体には慣性による力が強く働くことはなく、違和感のない揺れを得ることができる。
【０００９】
ゆりかごのようなゆっくりとした振動（低速往復動）を行えば、眠りを促進し、安眠を得ることができる。また、それより速めに振動（高速往復動）させれば、人体や人体内部の器官のマッサージ作用をすることができ、疲労回復や運動、調整が行える。さらに振動を速めれば、男女の性交時の快感を得るのに有益である。逆に、振動を遅くすれば、床ずれ防止も可能である。上記いずれの場合ももちろん、特にこの床ずれ防止のためには、タイマを用いるなどして間欠的に駆動するとよい。
【００１０】
駆動機構を作動させなければ、普通のベッドとしても使用できる。
【００１１】
前記緩衝手段は、ベッド本体部の上面における往復動方向の一端部から支持板の下面における往復動方向の他端部へ、またベッド本体部の上面における往復動方向の他端部から支持板の下面における往復動方向の一端部へ斜めに斜めに互いに引張状態にして張った一組の引張弾性材で構成するとよい。
【００１２】
支持板が方向転換するとき、一方の引張弾性材が伸びると、他方の引張弾性材は収縮してその引張力が減り、一方の伸びの引張力を尚増す。引張弾性材は、例えば引張コイルばねを用いて構成すればよく、簡素に構成できる。
【００１３】
前記駆動機構の駆動により前記ベッド支持板を往復動させる連結杆と、支持板の下面に固定され、前記連結杆の端部を保持する作用部とを設け、前記連結杆の支持板側に雄ねじを形成して、該雄ねじを、前記作用部に挿通保持するとともに、上記雄ねじにおける上記作用部を挟む両側位置に、雄ねじ上を長さ方向に移動するナットを螺合して構成するとよい。
【００１４】
前記駆動機構を、前記ベッド本体部内に収めたモータと、該モータの回転力を往復動に変換する動力変換部と、前記作用部とを用いて構成し、該作用部は、前記動力変換部の変換出力を支持板の下面に伝えるように構成するとよい。
【００１５】
モータを用いるので、回転数の制御で簡単に振動状態を変更できる。
【００１６】
支持板の支持は、駆動機構のみで行うのではなく、ベッド本体部の上面に転動体を設けて、この転動体で支持板の下面を支持すると、駆動機構に掛かる負荷を軽減できて、円滑な振動が得られる。
【００１７】
しかも、緩衝手段を有するので、モータに掛かる負担を軽くすることもでき、モータの長寿命化にも資する。
【００１８】
また、そのモータには、プーリとプーリベルトからなる減速機を接続すると、ギャによって構成した減速機を用いる場合に比して、騒音を抑えることができ、安眠や快さを得るのに有益である。
【００１９】
また、前記支持板の大きさは、人体の大部分を支持可能な大きさに設定するとよい。
【００２０】
全身を同時に（高低速）振動することができるので、マッサージや運動、疲労回復等を目的としたこれまでにないベッドとなる。
【００２１】
【発明の実施の形態】
この発明の一実施の形態を、以下図面を用いて説明する。
（実施の形態１）
図１は、ベッド１の要部の構造を示す斜視図である。このベッド１は、４側面の側面板３と上面板５とで構成されて下面が開口している箱状のベッド本体部７と、該ベッド本体部７の上に、水平方向に往復動可能に支持される支持板１１とを有する。
【００２２】
支持板１１は、人体の全体が乗るようにベッド本体部７に略対応する大きさに
設定している。往復動するので少し小さめに形成するとよい。
【００２３】
支持板１１の支持は、上記上面板５の上面に複数配設した転動体としての車輪９に往復動可能に載置して行う。すなわちこの例では、支持板１１は、ベッド１の横方向に往復動するように構成しているので、すべての車輪９を横方向で回転するように並べる。
【００２４】
この支持板１１とベッド本体部７には、支持板１１を往復動するように駆動機構を設けるとともに、往復動における方向転換時の衝撃を緩和する緩衝手段及び、連結杆２７の長さを調節可能に構成した機構を設ける。
【００２５】
連結杆２７の長さを調節可能に構成した機構は、前記連結杆２７に形成した雄ねじと、前記作用部２９´と、雄ねじに螺合し、連結杆２７の長さを調節するナット３０等で構成される。
【００２６】
駆動機構は、図２に示したように、ベッド本体部７内に収める減速機付きの変速モータ１９と、この変速モータ１９の回転軸２１の回転力を往復動に変換する偏心回転板２３と、該偏心回転板２３に外嵌して相対回動する環体２５と、該環体２５の周面に一端が保持された連結杆２７とからなる動力変換部と、該動力変換部での変換出力を支持板１１の下面に伝えるべく支持板１１の下面に固定され、上記連結杆２７の他端を保持する作用部２９´とで構成している。作用部２９´は、Ｔ字形に形成され、垂下した部位の両側にナット３０を、連結杆２７の長さ両方向に移動しながら連結杆２７の長さを調節可能にした。
【００２７】
この駆動機構は、ベッド１の長さ方向の中間部に１つ設ければ足るが、支持板１１を複数枚で構成する場合など、必要によっては、複数設けるもよい。
【００２８】
上記緩衝手段は、ベッド本体部７の上面板５の上面における往復動方向の一端部から支持板１１の下面における往復動方向の他端部へ、またベッド本体部７の上面板５の上面における往復動方向の他端部から支持板１１の下面における往復動方向の一端部へ、斜めに、且つ互いに反対の引張方向に張った一組の引張弾性材３５，３６で構成している。
【００２９】
引張弾性材３５，３６は、図３に示したように、引張コイルばね３９と、ワイヤ等の線状体４１とを一直線に連結して形成し、引張コイルばね３９の端部を支持板１１の下面にボルト３７で連結し、線状体４１の端部を、上面板５の上面に対してボルト４７で連結する。この引張弾性材３５，３６の長さは、張ったときに引張コイルばね３９が伸ばされ、さらに伸びることも、縮むこともできる長さになるように設定しておく。
【００３０】
上記連結杆２７と作用部２９´の連結は、図２に拡大して示したように、上述の如く連結杆２７に形成した雄ねじに螺合し、連結杆２７の長さを調節するナット３０の締め付けで行うが、この締め付けは、正面から見てクロスする上述した一組の引張弾性材３５，３６が上述のような、互いが反対方向に引張る状態になるように行う。
【００３１】
このような緩衝手段を、ベッド１の長さ方向における両側部の２箇所に設ける。必要によってはそれ以上設けるもよい。
【００３２】
このように構成したベッド１では、駆動機構を駆動すると、支持板１１が横方向に往復動する。駆動装置の変速モータ１９が駆動すると偏心回転板２３が回転し、環体２５を変位する。この変位で連結杆２７が作用部２９´を引っ張ったり押したりして、支持板１１を往復動させる。支持板１１は、車輪９に支持されながら円滑に動く。
【００３３】
使用に際しては、変速モータ１９の回転速度を、使用目的に応じて、適宜設定する。例えば、ゆりかごのようなゆっくりとした振動（往復動）を行えば、眠りを促進し、安眠を得ることができる。それより速めに振動させれば、人体や人体内部の器官のマッサージ作用をすることができ、疲労回復や運動、調整が行える。また、振動を速めれば、男女の性交時の快感を得るのに有益である。逆に、振動を遅くすれば、床ずれ防止も可能である。
【００３４】
また、駆動に際しては、タイマを用いて間欠的に駆動するように制御したり、適宜のプログラムに基づいて駆動するように制御したりするとよい。
【００３５】
全身が乗る大きさの支持板１１を有しており、これが適宜条件の往復動をするので、全身を振動させることができる。しかも、緩衝手段により人体が乗っても不快感のない振動が行える。このため、上述のように駆動条件を適宜設定して使用することで、多目的に利用できるベッドとなる。
【００３６】
また、緩衝手段は、支持板１１とベッド本体部７との間に、往復動方向の一方から他方へ、また他方から一方へ引張弾性材３５，３６を張って構成し、引張弾性材３５，３６を伸びも縮みもする状態に設定しているので、簡素に構成でき、製造コストを抑えることもできる。
【００３７】
さらに、駆動機構の駆動源には変速モータ１９を用いたので、回転数の制御で簡単に振動状態を変更でき、便利である。しかも、往復動可能に車輪９で支持しているので、モータ１９にかかる負荷を低減できる。この効果は、緩衝手段を備えたことによっても得られ、モータ１９の長寿命化を図ることができる。
【００３８】
（実施の形態２）
図４は、ベッド１の要部の斜視図であり、このベッド１では、駆動機構のモータ１９´に、減速機付きでない変速モータを用い、この変速モータ１９´に、プーリとプーリベルトで構成される減速機を接続して構成している。このような減速機を用いることで、駆動時の騒音を抑えることができる。
【００３９】
具体的には、図５、図６に示したように、ベッド本体部７の上面板５の下面に、上記変速モータ１９´を取り付け、このモータ１９´の回転軸２１´に小プーリ２２を取り付ける。この小プーリ２２には、プーリベルト２４の一端をかけ、このプーリベルト２４の他端を大プーリ２６にかける。この大プーリ２６は、上面板５の下面に取り付けたブラケット２８に回転可能に保持され、プーリ軸２１´´を回転させる。このプーリ軸２１´´には、駆動機構を構成する偏心回転板２３を固定している。
【００４０】
以上はこの発明の一実施の形態であって、この発明は、上述の構成に限定されるものではない。例えば、振幅を変更する手段を設けると、振動の仕方をさらに広げることができる。
【００４１】
【発明の効果】
以上のようにこの発明によれば、人体を支持する支持板が水平方向に往復動する上に、その往復動の方向転換時には、緩衝手段が慣性による衝撃を和らげるので、人体が乗るのに適した振動が得られる。振動の速さを適宜設定することにより、例えば睡眠誘導や安眠、健康増進、運動、マッサージ、性交時の快感、床ずれ防止等、一台で多目的に利用できる高低速振動ベッドとなる。
【００４２】
しかも、緩衝手段を、支持板とベッド本体部との間に、往復動方向の一方から他方へ、また他方から一方へ引張弾性材を張って構成し、引張弾性材を伸びも縮みもする状態に設定することで、簡素に構成でき、有益なベッドが安価に得られる。
【００４３】
さらに、前記駆動機構の駆動により前記ベッド支持板を往復動させる連結杆と、支持板の下面に固定され、前記連結杆の端部を保持する作用部とを設け、前記連結杆の支持板側に雄ねじを形成して、該雄ねじを、前記作用部に挿通保持するとともに、上記雄ねじにおける上記作用部を挟む両側位置に、雄ねじ上を長さ方向に移動するナットを螺合して連結杆２７の長さを調節可能にできる。
【図面の簡単な説明】
【図１】  ベッドの要部を示す斜視図。
【図２】  図１におけるＦ−Ｆ´線断面図。
【図３】  図１および図４におけるＧ−Ｇ´線断面図。
【図４】  他の例に係るベッドの要部を示す斜視図。
【図５】  図４のベッドにおけるベッド本体部を下面側から見た斜視図。
【図６】  図４におけるＦ−Ｆ´線断面図。
【符号の説明】
１…ベッド
７…ベッド本体部
１１…支持板
１９…変速モータ
１９´…変速モータ
２１…回転軸
２２…小プーリ
２３…偏心回転板
２４…プーリベルト
２５…環体
２６…大プーリ
２７…連結杆
２９´…作用部
２９´…作用部
３０…（連結杆の長さ調節の）ナット
３９…引張コイルばね
４１…線状体
【図１】
0003691438.tif 000002
【図２】
0003691438.tif 000003
【図３】
0003691438.tif 000004
【図４】
0003691438.tif 000005
【図５】
0003691438.tif 000006
【図６】
0003691438.tif 000007